(57)【特許請求の範囲】
【請求項１】
害虫の誘引手段と、誘引した害虫を高圧電極に接触させて捕獲及びカウントする電撃型自動カウント式トラップにおいて、電極を上下動させて固定の仕切板とこすり合わせ、電極を清掃することを特徴とする電撃型自動カウント式トラップ。
【請求項２】
予め設定した時間に電極を上下動させることを特徴とする請求項１記載の電撃型自動カウント式トラップ。
【請求項３】
害虫の誘引手段と、誘引した害虫を高圧電極に接触させて捕獲及びカウントする電撃型自動カウント式トラップにおいて、降雨を検知し、雨天時には電極を上へ移動して、笠の直下へ行き、水滴による放電を防止することを特徴とする電撃型自動カウント式トラップ。
【請求項４】
エアシリンダのシリンダーロッドに電極を保持し、電極を上下動可能とすることを特徴とする請求項１、２または３記載の電撃型自動カウント式トラップ。
【請求項５】
モータの駆動により回転するネジで電極を保持し、電極を上下動可能とすることを特徴とする請求項１、２または３記載の電撃型自動カウント式トラップ。
【発明の詳細な説明】
【０００１】
【産業上の利用分野】
本発明は、農作物が栽培されている水田、畑、茶園、芝、果樹等に飛来する飛翔性害虫を、誘引して捕獲し、捕獲数を自動でカウントする害虫発生予察及び害虫誘殺に関する分野のものである。
【０００２】
【従来の技術】
電撃にて単に殺虫する装置は特公昭５８−５８０５５号、実開昭５９−１０５８７８号など古くから用いられてきたが、これは農薬散布のための指針となる特定害虫の調査ではなく、誘蛾灯にて誘引して無差別に電撃殺虫するものであった。しかし、今日、人体の安全や環境に配慮した最少限の農薬散布を心がけねばならない社会環境となってきた。そのためには、対象害虫の発生を正確に早く掌握し、効率良い農薬散布をする必要性が生じてきた。害虫の発生を知るうえにはかねてより、図２の如く各種方法が行われてきた。それらの方法には、１．誘引方法、２．捕獲殺虫方法、３．カウント方法、の３つに大別され、それらの各種の組み合わせの方法や装置が用いられてきた。
【０００３】
誘引方法には、各種波長の異なる電灯、虫が好む芳香剤、雌や雄の性フェロモン剤、黄色などの虫を誘引する色板などの方法がある。捕獲殺虫方法には、界面活性剤を入れて水没、粘着板、高電圧にて電撃、容器へ誘い込み殺虫剤などの方法がある。カウント方法には、目視カウントと自動カウントがあり、自動カウントには、電撃スパーク信号の検出、通過光電カウント、画像処理の方法がある。現在実用化されているものは、これらを各種組み合わせて用いられている。これらの中で、誘引方法がフェロモン剤、捕獲殺虫方法が電撃、カウント方法が自動という条件下での発明は、特開２０００−１３５０４３号、特開２０００−５０号がある。更に、カウント方法が自動、かつ、電撃スパーク信号検出方法のものは、特開２０００−５０号である。この特開２０００−５０号の発明では電撃部を上下２段に設けて、１段目は弱く、２段目は強く電圧を掛けて、虫の捕獲率やカウント精度を高めているが、装置が複雑な構造をしており、尚且つ電極に付着した害虫の死骸を除去することはできない。
【０００４】
【発明が解決しようとする課題】
従来からの電撃殺虫器、及び電撃型自動カウント式トラップにおいては、２つの課題が生じていた。１つは電極に虫が付着することである。大きな虫から小さな虫まで、各種の害虫に対応し数週間及び１ヶ月間に渡り、より正確にカウントしつづけるためには、電極部が常にきれいに保たれていなければならない。付着防止のために各種の手段を講じた。例えば、電源の交流と直流の選択、電源電圧の選択、電極の円周や間隔や長さや材質やスパーク時間の選定などであり、各種の実験の結果から最良の条件を選び出したが、それでも虫の付着は防げなかった。２つ目の課題としては、虫を数多く誘引捕獲するためには、開放的な構造が望ましいが、相反して雨天時の雨の降り込みにより電極が濡れることにより放電が起きてしまい、この放電を虫と見間違ってカウントしてしまう問題が生じた。本発明は、この２つの課題を解消することを課題としている。
【０００５】
【課題を解決するための手段】
この発明は上記のような課題を解決するため、以下のような手段をとる。（１）害虫の誘引手段と、誘引した害虫を高圧電極に接触させて捕獲及びカウントする電撃型自動カウント式トラップにおいて、電極を上下動させて固定の仕切板とこすり合わせ、電極を清掃する。（２）上記（１）を予め設定した時間に電極を上下動させる。（３）害虫の誘引手段と、誘引した害虫を高圧電極に接触させて捕獲及びカウントする電撃型自動カウント式トラップにおいて、降雨を検知し、雨天時には電極を上へ移動して、笠の直下へ行き、水滴による放電を防止する。（４）上記（１）、（２）または（３）において、エアシリンダのシリンダーロッドに電極を保持し、電極を上下動可能とする。（５）上記（１）、（２）または（３）において、モータの駆動により回転するネジで電極を保持し、電極を上下動可能とする。
【０００６】
【発明の実施の形態】
電極部に付着した虫を除去するために、電極を掃除する手段を採用し、付着した虫を除去できた。定期的に数回ピストン運動させると、より効果的に、常に清潔に保つことが出来る。また、雨量計からの信号に基づいて電極を上へ移動させることで、電極の水濡れがなくなった。
【０００７】
【実施例】
図１にて実施例を述べる。１は風雨を防ぐ笠である。表面の色は虫が誘引されるという黄色とした。２は電極を上下動させるための動力源となる電動モータである。本実施例では、電源を太陽電池としたために直流モータを用いた。３は電極部を上下動させるためのボールネジである。４は電極支持部である。この電極支持部４は絶縁体で構成されていて中央部にはメネジがたてられている。ボールネジ３を回転することで電極支持部４が上下動をする。５は仕切板であり、電極部に付着した虫を掻き落す役目と電極部の不回転の役目をしており、更に虫が駆動部の笠１の中へ侵入することも防いでいる。６は８００Ｖ〜３０００Ｖの高電圧がかけられる電極部であり、電極支持部４の絶縁体の直径６６ｍｍの円線上に２４本の電極を埋め込み、仕切板５に設けた開孔に挿入する。電極部６の長さは５５ｍｍとした。電極部６の本数、配置間隔、長さは、フェロモン剤の交換作業、対象害虫の大小などから決めたが、電極間隔を可変とするとよい。
【０００８】
７は感電した害虫が落下し集められるロート部である。８は害虫の誘引手段のフェロモン剤である（他の誘引手段でも構わない）。現在国内で販売されているフェロモン剤８の多くの有効日数は１ヶ月程である。従って、毎月１回はフェロモン剤８の交換が必要であり、簡便に取り外しが出来るようにした。９は制御部であり、電極部６へ供給する高電圧の変圧調整機能、スパーク時間の設定、スパーク回数のカウント及び記憶、時間の管理、電極支持部4及び電極部６の上下可動に関する各種設定、雨量計からの信号処理、記憶データの出力などの各種の制御をする。１０は飛来した虫が、電極部に触れて感電した例である。１１は雨量計であり、他の雨滴センサでも同様の処理が行える。
【０００９】
本実施例の電撃型自動カウント式トラップの稼動時間は、対象害虫の飛来時間に沿って任意に設定可能とした。稼動時間とは、電極部６への通電時間帯とその時間帯でのカウントである。多くの害虫は夜間の飛来が主であり、安全性と節電と精度向上のために、任意に設定可能とした。本発明では、仕切板５の開孔に差し込んだ電極部６を所定の時間になると上下動させて、電極部６に付着した虫の死骸を仕切板５にて削ぎ落とす。本発明の電極部６の上下動するタイミングは、装置の稼動時間の前でも終了後でも構わないが、本実施例では電極部６の上下動は１日に１回、稼動時間の終了後に２回のピストン運動を行い、一晩中に付着した虫を落下させる。ピストン回数は１回でも数回でも良い。稼動時間は虫により飛来する時間帯を予め知った上で任意に設定可能とした。実施した対象害虫はチャノホソガであった。この害虫は夕方１７時頃から飛来し、２３時頃にピークとなり、明け方３時頃に減少しはじめ、明け方５時頃には飛来しないことを事前に知っていたので、本実施例の装置の稼動時間帯は夕方１６時開始、翌朝６時終了とし、６時に達すると電極６に掛けられた高電圧が遮断され、次に電極６の上下動の動作に入るように設定する。１８時から翌朝６時までの捕獲時間帯に装置が設定されている場合は、翌朝６時の終了時になると数回のピストン運動をさせ、稼動を終了する。
【００１０】
雨天時の雨の降り込みにて電極部６間の放電が起こるのを防止する為に、雨滴センサや雨量計１１からの信号にて、電極部６を上部へ移動して退避する。本実施例では、雨量計１１にて降雨を検知すると、雨がやむまで上部へ退避する。任意の時間帯だけ上部へ退避し、その後、電極部６が下降することとした。
【００１１】
次に、モータを用いずに、エアリシンダ１２を用いて電極部６を上下動させる実施例を図３に示す。その他に、ソレノイドを用いて電極部６を上下させてもよい。
【００１２】
自動にカウントした虫の計測値は、制御部９に記憶しておき、必要に応じて作業者がその場へ行ったり、遠隔地へ無線（または電話回線等）で送信して、調査する。
【００１３】
【発明の効果】
電極部へ付着した害虫を自動的に除去するので、作業者が掃除する手間が省け、カウント精度の向上とメンテナンスの簡便になった。降雨の影響を受けないため、カウント精度が向上した。また、装置の構造が簡単でわかりやすく、安価で出来る。
【図面の簡単な説明】
【図１】本発明の正面一部断面図。
【図２】いろいろな方法を示す図。
【図３】その他の実施例の正面一部断面図。
【符号の説明】
１  笠
２  電動モータ
３  ボールネジ
４  電極支持部
５  仕切板
６  電極部
７  ロート部
８  フェロモン剤
９  制御部
１０  害虫のスパーク
１１  雨量計
１２  エアシリンダ
１３  シリンダーロッド
【図１】
0004634593.tif 000002
【図２】
0004634593.tif 000003
【図３】
0004634593.tif 000004